(57)【要約】【課題】本発明は、出射された光の色を変更することができる発光ダイオードランプを提供することを目的とする。【解決手段】本発明に係る発光ダイオードランプは、ランプカップと、前記ランプカップに設置された発光ダイオードモジュールと、前記ランプカップに接続され且つ前記発光ダイオードモジュールを覆うランプカバーと、を備える。前記ランプカバーは、有色ランプカバーであり、前記ランプカバーと前記ランプカップとは、着脱自在に接続され、前記ランプカバーの色は、前記発光ダイオードモジュールから出射される光線の色と異なり、前記発光ダイオードモジュールから出射された光線は、前記ランプカバーを透過した後、元の色から変更される。【選択図】図１
2013143472.tif 000002
【特許請求の範囲】
【請求項１】
ランプカップと、前記ランプカップに設置される発光ダイオードモジュールと、前記ランプカップに接続され且つ前記発光ダイオードモジュールを覆うランプカバーと、を備える発光ダイオードランプであって、
前記ランプカバーは、有色ランプカバーであり、前記ランプカバーと前記ランプカップとは、着脱自在に接続され、前記ランプカバーの色は、前記発光ダイオードモジュールから出射される光線の色と異なり、前記発光ダイオードモジュールから出射された光線は、前記ランプカバーを透過した後、元の色から変更されることを特徴とする発光ダイオードランプ。
【請求項２】
前記ランプカップは、前記発光ダイオードモジュールを支持する支持部及びその円周に沿って前記支持部に設置される複数の第一リブを備え、前記第一リブと前記支持部の上面とは、離間して設置され、隣接する２つの前記第一リブの間に第一係合溝が等間隔に形成され、前記ランプカバーは、透光部及びその円周に沿って前記透光部に設置される複数の第二リブを備え、隣接する２つの前記第二リブの間に第二係合溝が等間隔に形成され、前記第二リブは、前記第一リブの間の前記第一係合溝にそれぞれ挟んで固定され、前記第一リブは、前記第二リブの間の前記第二係合溝にそれぞれ挟んで固定され、前記ランプカバーは、前記ランプカップに対して回転して前記第二リブを前記支持部と前記第一リブとの間に挟んで固定させることを特徴とする請求項１に記載の発光ダイオードランプ。
【請求項３】
前記ランプカップは、前記支持部の周縁から上方に向かって延伸する環状の外周部をさらに備え、前記第一リブが前記外周部の円周方向に沿って等間隔に且つ径方向内側に向けて突設されることを特徴とする請求項２に記載の発光ダイオードランプ。
【請求項４】
前記透光部は、開口端を有し、前記ランプカバーは、前記開口端に位置する環状の接続部をさらに備え、前記第二リブは、前記接続部の周縁に沿って等間隔に突設されることを特徴とする請求項３に記載の発光ダイオードランプ。
【請求項５】
前記ランプカバーは、環状の当接部をさらに備え、前記当接部は、前記透光部の開口端の辺縁から水平に内部に向かって延伸し且つ前記外周部の上端に当接し、前記接続部は、前記当接部の内側から下方に向かって垂下することを特徴とする請求項４に記載の発光ダイオードランプ。
【請求項６】
前記ランプカップは、前記支持部から下方に向かって垂下する中空筒状の放熱部をさらに備え、前記放熱部の外周に放熱フィンが突設されることを特徴とする請求項２から５のいずれか一項に記載の発光ダイオードランプ。
【請求項７】
前記放熱フィンは、上下方向に延在し且つ略Ｓ字状に迂曲しており、複数の前記放熱フィンは、前記放熱部の円周方向に互いに等間隔に離間して設置されることを特徴とする請求項６に記載の発光ダイオードランプ。
【発明の詳細な説明】
【技術分野】
【０００１】
本発明は、ランプに関するものであり、特に発光ダイオードランプに関するものである。
【背景技術】
【０００２】
発光ダイオード（Ｌｉｇｈｔ  Ｅｍｉｔｔｉｎｇ  Ｄｉｏｄｅ，ＬＥＤ）は、小型、高効率、長寿命で、水銀のような有害な物質を使用せず、また二酸化炭素の排出量をも削減できて環境にも良いため、現在、冷陰極蛍光管に代わるランプの光源として広く利用されている。発光ダイオードは、異なる半導体材料を用いることによって、異なる色の光を出すことができる。例えば、赤色発光ダイオード、緑色発光ダイオード、橙色発光ダイオード及び黄色発光ダイオードは、赤色の光、緑色の光、橙色の光及び黄色の光をそれぞれ出すことができる。従来の発光ダイオードランプは、発光ダイオード光源及び前記発光ダイオード光源を覆う透明なランプカバーを備え、従来の発光ダイオードランプの色は、前記発光ダイオードの光源から出射される光の色によって決まり、変更することができない。そのため、使用者は光の色を変更したい場合、その都度新しいランプを買わなければならず、不要な出費をもたらす。またメーカーにとって、売れ行きが芳しくない色の発光ダイオードランプのみが在庫として残るという事態を招く。
【発明の概要】
【発明が解決しようとする課題】
【０００３】
本発明の目的は、前記課題を解決し、出射された光の色を変更することができる発光ダイオードランプを提供することである。
【課題を解決するための手段】
【０００４】
本発明に係る発光ダイオードランプは、ランプカップと、前記ランプカップに設置される発光ダイオードモジュールと、前記ランプカップに接続され且つ前記発光ダイオードモジュールを覆うランプカバーと、を備える。前記ランプカバーは、有色ランプカバーであり、前記ランプカバーと前記ランプカップとは、着脱自在に接続され、前記ランプカバーの色は、前記発光ダイオードモジュールから出射される光線の色と異なるため、前記発光ダイオードモジュールから出射された光線は、前記ランプカバーを透過した後、元の色から変更される。
【発明の効果】
【０００５】
本発明の発光ダイオードランプは、発光ダイオード光源の色と異なる色の有色ランプカバーを設置することによって、前記発光ダイオードモジュールから出射される光線は、前記ランプカバーを透過してから要望の色の光となる。他の色のランプカバーに換えることによって要望の色の光を得ることができる一方、メーカーは、市場の需要によって発光ダイオードとランプカバーとを組み合わせてから要望のランプを出荷できるため、在庫過多という状況を減少させることができる。
【図面の簡単な説明】
【０００６】
【図１】本発明に係る発光ダイオードランプの分解斜視図である。
【図２】図１に示す本発明に係る発光ダイオードランプの他角度から見た分解斜視図である。
【図３】図１に示す本発明に係る発光ダイオードランプが一体に組み立てられた後の断面図である。
【発明を実施するための形態】
【０００７】
以下、図面を参照して、本発明の実施形態について説明する。
【０００８】
図１〜図３を参照すると、本発明の実施形態に係る発光ダイオードランプは、ランプホルダー１００と、ランプカバー３００と、対向する両端が前記ランプホルダー１００及び前記ランプカバー３００にそれぞれ接続されるランプ本体２００と、駆動回路モジュール４０と、を備える。前記ランプホルダー１００は、外部電源（図示せず）に電気的に接続されて前記発光ダイオードランプに電力を提供する。
【０００９】
前記ランプ本体２００は、ランプカップ２０及び前記ランプカップ２０に装着される発光ダイオードモジュール３０を備える。前記ランプカップ２０は、アルミニウム、銅などのような高熱伝導性の材料を使用して一体形成される。前記ランプカップ２０は、前記発光ダイオードモジュール３０を支持する円形の支持部２１と、前記支持部２１の周縁から上方に向かって延伸する環状の外周部２３と、前記支持部２１から下方に向かって垂下する中空筒状の放熱部２５と、を備える。前記放熱部２５の外表面には、前記ランプカップ２０が吸収した熱を放熱するための複数の放熱フィン２５１が突設されている。この放熱フィン２５１は、上下方向に延在し且つ略Ｓ字状に迂曲しており、複数の放熱フィン２５１は、放熱部２５の円周方向に沿って、等間隔に離間して設置されている。前記放熱部２５の内表面の下端部には、前記ランプホルダー１００に接続する内部ねじ山２５３が設けられている。前記駆動回路モジュール４０は、ランプホルダー１００に収容され、且つ前記発光ダイオードモジュール３０に電気的に接続される。
【００１０】
前記外周部２３には、四つのアーチ形の第一リブ２３１が前記外周部２３の円周方向に沿って等間隔に且つ径方向内側に向けて突設されており、前記第一リブ２３１は、前記ランプカバー３００に係合するために用いられる。また前記第一リブ２３１と前記支持部２１の上面とは、離間して設置される。各々の第一リブ２３１は、互いに平行に設置され且つ前記外周部２３の円周方向に沿って延伸する。各々の第一リブ２３１の間には、アーチ形の第一係合溝２３５が前記外周部２３の円周方向に沿って等間隔に形成されており、第一リブ２３１の内側辺と前記第一係合溝２３５とが連接した場合、全て同じ円周上に位置することとなる。
【００１１】
前記ランプホルダー１００の上端部は、円筒状であり、その上端部の外周には、前記ランプカップ２０の放熱部２５の内部ねじ山２５３に螺合する外部ねじ山１０１が設けられる。前記ランプホルダー１００の下部の下端部には、外部電源に電気的に接続される導電端子１０３が設けられている。前記ランプホルダー１００は、外部電源及び駆動回路モジュール４０に電気的に接続され、前記発光ダイオードモジュール３０を駆動する。
【００１２】
前記発光ダイオードモジュール３０は、回路基板３１及び前記回路基板３１に設置された複数の白色発光ダイオード３３を備える。前記発光ダイオードモジュール３０は、前記ランプ本体２００の支持部２１の上端面の中央部に設置されて、前記ランプカップ２０に収容された駆動回路モジュール４０に電気的に接続された後、前記駆動回路モジュール４０によって電力を得る。前記発光ダイオードモジュール３０が作動している時、白色光を出すことができる。
【００１３】
前記ランプカバー３００は、一端が開口された中空の半球状であり、前記ランプカップ２０の上端に固定され、且つ前記発光ダイオードモジュール３０を覆う。前記ランプカバー３００は、半球状の透光部３０１と、前記透光部３０１の下端の辺縁から水平に、内部に向かって延伸した環状の当接部３０３と、前記当接部３０３の内側から下方に向かって垂下する環状の接続部３０５と、前記接続部３０５の下端の外側から径方向外側に向けて突設される四つの第二リブ３０７と、を備える。前記第二リブ３０７は、各々前記接続部３０５の周縁に沿って等間隔に設置され且つ前記接続部３０５の円周方向に沿って延伸する。また、前記第二リブ３０７は、前記当接部３０３と離間する。隣接した２つの第二リブ３０７の間には、第二係合溝３０８が前記接続部３０５の円周方向に沿って等間隔に形成されている。前記ランプカバー３００は、橙色の透光な材料からなる。
【００１４】
前記接続部３０５の外径は、前記ランプ本体２００の四つの第一リブ２３１の内側辺を通る仮想的な円の直径に相当し、前記接続部３０５の四つの第二リブ３０７の外側辺を通る仮想的な円の直径は、外周部２３の内径に相当する。前記接続部３０５の軸方向に沿った高さは、前記ランプ本体２００の第一リブ２３１の厚さに比べ、やや大きい。前記ランプカバー３００の第二リブ３０７が前記接続部３０５の円周方向に沿って延伸する長さは、前記ランプ本体２００の第一係合溝２３５が前記外周部２３の円周方向に沿って延伸する長さ以下である。前記ランプ本体２００の第一リブ２３１が前記外周部２３の円周方向に沿って延伸する長さは、前記ランプカバー３００の第二係合溝３０８が前記接続部３０５の円周方向に沿って延伸する長さ以下である。
【００１５】
本実施形態において、前記ランプカバー３００を装着する時、前記ランプカバー３００の第二リブ３０７を第一係合溝２３５に位置合わせし、次いで前記ランプカバー３００を下方に向かって押圧し、前記第二リブ３０７に対応する第一係合溝２３５を通過させて、前記支持部２１に当接させる。この時、同時に前記ランプカップ２０の第一リブ２３１も対応する第二係合溝３０８を通過し、前記第一リブ２３１と前記第二リブ３０７とは、円周方向に沿って且つ上下方向に交互に設置される。その後、前記ランプカバー３００を、前記ランプカップ２０に対して回転させることによって、前記第二リブ３０７は、前記第一リブ２３１と前記支持部２１の上面との間に挟んで固定され、また前記第一リブ２３１は、前記第二リブ３０７と前記当接部３０３との間に挟んで固定される。前記ランプカバー３００と前記ランプ本体２００とは、着脱自在に接続されて一体となる。
【００１６】
前記ランプが通電すると、前記ランプカバー３００の透光部３０１は橙色であるため、前記発光ダイオードモジュール３０から出射された白色光は、前記ランプカバー３００を透過した後、橙色光に変化する。
【００１７】
他の実施形態において、有色発光ダイオードと、該発光ダイオードと異なる色を有するランプカバーと、を組み合わせて使用することによって、前記発光ダイオードから出射された光とランプカバーの色とが混ぜ合わさり、他の色を得ることができる。前記ランプカバーは、着脱自在でもあるため、ランプカバーを換えるだけで、ランプから出射された光の色を変更することができ、新しいランプを買うことによる不要な出費を減少させる。又、発光ダイオードランプから出射された光の色を変更することができるため、メーカーは、市場の需要によって、発光ダイオードとランプカバーとを組み合わせてから要望のランプを出荷できるので、在庫過多という状況を減少させることができる。
【００１８】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００１９】
２０  ランプカップ
２１  支持部
２３  外周部
２５  放熱部
３０  発光ダイオードモジュール
３１  回路基板
３３  白色発光ダイオード
４０  駆動回路モジュール
１００  ランプホルダー
１０１  外部ねじ山
１０３  導電端子
２００  ランプ本体
２３１  第一リブ
２３５  第一係合溝
２５１  放熱フィン
２５３  内部ねじ山
３００  ランプカバー
３０１  透光部
３０３  当接部
３０５  接続部
３０７  第二リブ
３０８  第二係合溝
【図１】
2013143472.tif 000003
【図２】
2013143472.tif 000004
【図３】
2013143472.tif 000005